(57)【特許請求の範囲】
【請求項１】
ヘッドピースを有するハンドルと、
前記ヘッドピースに相互係合するためのデンタルフロスホルダとを有するデンタルフロス器具であって、
前記デンタルフロスホルダが、ベース部分と、前記ベース部分から延長して、その間に或る長さのデンタルフロスを適応させる一対の離隔された顎とを有し、前記デンタルフロスホルダの前記顎が、その間に前記ヘッドピースを抱くように延長し、
前記デンタルフロス器具が、前記デンタルフロスホルダまたは前記ヘッドピースの一方に設けられた係合溝と、前記デンタルフロスホルダまたは前記ヘッドピースの他方に設けられ、前記デンタルフロスホルダと前記ヘッドピースの組み立て時に前記係合溝に係合する補完的な係合トングとを有し、
前記デンタルフロス器具が、前記ハンドルに関して前記デンタルフロスホルダが正しく整合した位置にあるときを除いて、前記係合溝と前記係合トングとの相互係合を妨げるインタロックを有し、
前記インタロックが、前記ヘッドピース上のヘッドインタロック部と前記デンタルフロスホルダ上のホルダインタロック部とからなり、
前記インタロック部が、前記係合トングまたは係合溝の両側から横方向に延長する２つのインタロックトングと、前記インタロックトングを受容する２つのインタロック溝とを有し、
前記デンタルフロスホルダの前記顎がその間に前記ヘッドピースを抱くように延長する正しい整合位置に前記デンタルフロスホルダがあるときにのみ、前記係合トングが前記係合溝に押し嵌められることを特徴とするデンタルフロス器具。
【請求項２】
前記インタロック部が、前記デンタルフロスホルダの前記係合トングの両側から横方向に延長する２つのインタロックトングと、前記ヘッドピースの前記係合溝内の２つのインタロック溝とからなることを特徴とする請求項１に記載のデンタルフロス器具。
【請求項３】
前記インタロックトングが断面弧状をなし、かつ前記インタロック溝がそれを補完する弧状をなすことを特徴とする請求項１又は２に記載のデンタルフロス器具。
【請求項４】
前記デンタルフロスホルダが、組み立て時に前記ヘッドピースに係合するための解除可能なロックを有することを特徴とする請求項１乃至３のいずれかに記載のデンタルフロス器具。
【請求項５】
前記解除可能なロックが、スナップ嵌め突起部からなることを特徴とする請求項４に記載のデンタルフロス器具。
【請求項６】
前記スナップ嵌め突起部が前記デンタルフロスホルダの前記顎に設けられていることを特徴とする請求項５に記載のデンタルフロス器具。
【請求項７】
前記デンタルフロスが或る長さの歯間用糸であることを特徴とする請求項１乃至６のいずれかに記載のデンタルフロス器具。
【請求項８】
前記デンタルフロスが或る長さの歯間用テープであることを特徴とする請求項１乃至６のいずれかに記載のデンタルフロス器具。
【請求項９】
ハンドルのヘッドピースに組み付けるための請求項１乃至８のいずれか記載のデンタルフロス器具のデンタルフロスホルダであり、
前記デンタルフロスホルダが、ベース部分と、前記ベース部分から延長して、その間に或る長さのデンタルフロスを適応させる一対の離隔された顎とを有し、
前記デンタルフロスホルダが、ヘッドピースの補完的な係合トングと係合する係合溝、またはヘッドピースの補完的な係合溝と係合する係合トングを有し、
前記デンタルフロスホルダの前記顎が、使用時にハンドルに関して前記デンタルフロスホルダが正しく整合する位置にあるときに、それらの間にハンドルのヘッドピースを抱くように延長し、
前記デンタルフロスホルダが前記係合溝又は前記係合トングに、前記ヘッドピースの対応するヘッドインタロック部と係合するためのホルダインタロック部を有し、前記ホルダインタロック部及び前記ヘッドインタロック部が、前記デンタルフロスホルダが正しく整合する位置にあるときを除いて、前記係合溝と前記係合トングとの相互係合を妨げるようになっており、
前記インタロックが、前記ヘッドピース側のヘッドインタロック部と前記デンタルフロスホルダ側のホルダインタロック部とを有し、前記インタロック部が、前記係合トングまたは係合溝の両側から横方向に延長する２つのインタロックトングと、前記インタロックトングを受容する２つのインタロック溝とを有することを特徴とするデンタルフロスホルダ。
【請求項１０】
前記インターロックトングが、前記デンタルフロスホルダの前記係合トングの両側から横方向に延長していることを特徴とする請求項１乃至９のいずれかに記載のデンタルフロスホルダ。
【発明の詳細な説明】
【技術分野】
【０００１】
本発明は、組み立て時にハンドルのヘッドピースと相互係合する使い捨てデンタルフロスホルダからなる型式のデンタルフロス器具に関する。
【発明の開示】
【発明が解決しようとする課題】
【０００２】
この型式の従来のデンタルフロス器具は、ユーザがホルダをハンドルのヘッドピースに正しく相互係合させることができない虞があるという不利益があった。これは、フロスの位置が最適でないため、フロッシングの効果がなくなる。また、使用中にホルダが動いたり外れた状態になる虞があった。
【０００３】
そこで、これらの問題を解消するデンタルフロス器具の改良が必要とされている。
【課題を解決するための手段】
【０００４】
本発明によれば、ヘッドピースを有するハンドルと、前記ヘッドピースに相互係合するためのデンタルフロスホルダとを有し、前記デンタルフロスホルダがベース部分と、その間に或る長さのデンタルフロスを適応させるべく前記ベース部分から延長する一対の離隔された顎とを有し、前記ホルダの前記顎が、前記ハンドルに関して前記ホルダが正しく整合する位置にあるときに、その間に前記ヘッドピースを抱くように延長しており、かつ、前記ホルダが正しく整合した位置にあるときを除いて、前記ホルダが前記ヘッドピースと相互係合することを実質的に防げるインタロックを備えるデンタルフロス器具が提供される。
【０００５】
ある実施例では、前記インタロックが、前記ヘッドピース上のヘッドインタロック部と前記デンタルフロスホルダ上のホルダインタロック部とからなり、前記インタロック部が、前記ホルダが正しく整合した位置にあるときにのみ相互係合するようになっている。
【０００６】
好ましくは、前記インタロック部が突起と前記突起を受容する凹みとからなる。
【０００７】
より好ましくは、前記インタロック部が、前記ホルダが正しく整合した位置にあるときに嵌め合わされる。
【０００８】
ある実施例では、前記インタロック部が、インタロックトングと、前記インタロックトングを受容する対応インタロック溝とからなる。好ましくは、前記インタロックトングが、前記ホルダを前記ヘッドピースに正しく整合させたときに前記インタロック溝に滑らせて係合可能である。前記インタロックトングが断面弧状をなし、かつ前記インタロック溝がそれを補完する弧状をなすであると、好都合である。
【０００９】
ある実施例では、前記インタロックが、単一のヘッドインタロック部と単一のホルダインタロック部とからなる。
【００１０】
別の実施例では、前記インタロックが、前記ヘッドピース上の少なくとも２つのヘッドインタロック部と、前記デンタルフロスホルダ上の少なくとも２つのホルダインタロック部とからなる。
【００１１】
本発明のある実施例では、この器具は前記ホルダまたはヘッドピースの一方上の横断方向に延長する係合溝と、前記ホルダ及びヘッドピースの組み立て時に前記横断方向に延長する係合溝に係合する、前記ホルダまたは前記ヘッドピースのいずれか他方上の補完係合トング部分とからなる。
【００１２】
好ましくは、前記インタロックが、ヘッドインタロック部と対応するホルダインタロック部とからなり、前記ヘッドインタロック部が前記係合トングまたは係合溝のいずれか一方に設けられ、かつ前記対応するホルダインタロック部が前記係合トングまたは係合溝のいずれか他方に設けられる。
【００１３】
好ましくは、前記インタロック部が、前記係合トングまたは係合溝の横方向に延長している。
【００１４】
ある実施例では、前記デンタルフロスホルダが、組み立て時に前記ヘッドピースに係合するための解除可能なロックを有する。好ましくは、前記解除可能なロックが、スナップ嵌め突起部からなる。
【００１５】
より好ましくは、前記スナップ嵌め突起部が前記ホルダの前記顎に設けられる。
【００１６】
ある実施例では、前記デンタルフロスが或る長さの歯間用糸である。
【００１７】
別の実施例では、前記デンタルフロスが或る長さの歯間用テープである。
【００１８】
また、本発明によれば、本発明のデンタルフロス器具用ハンドルが提供される。
【００１９】
更に本発明によれば、ハンドルのヘッドピースに組み付けるためのデンタルフロスホルダであり、ベース部分と、その間に或る長さのデンタルフロスを適応させるべく前記ベース部分から延長する一対の離隔された顎とを有し、前記ホルダの前記顎が、使用時にハンドルに関して前記ホルダが正しく整合する位置にあるときに、それらの間にハンドルのヘッドピースを抱くように延長し、前記デンタルフロスホルダが、前記ホルダが正しく整合する位置にあるときを除いて、前記ホルダがヘッドピースに相互係合することを実質的に防げるホルダインタロックを有するデンタルフロスホルダが提供される。
【００２０】
好ましくは、前記ホルダインタロックが、組み立て時に前記ホルダが正しく整合する位置にあるときにのみ、ヘッドピースの対応するインタロックトングまたはインタロック凹みに係合するためにインタロック突起またはインタロック凹みを有する。より好ましくは、前記インタロック突起部がインタロックトングからなる。好ましくは、前記インタロック凹みがインタロック溝からなる。
【００２１】
好ましくは、前記インタロックトングまたは前記インタロック溝が前記ホルダのベース部分から延長している。
【００２２】
本発明は、添付図面を参照しつつ単なる実施例として以下に記載される詳細な説明からより明確に理解することができる。
【発明を実施するための最良の形態】
【００２３】
添付図面に関し、初めにその図１乃至図７には、ヘッドピース３を有するハンドル２とある長さのデンタルフロス用の使い捨てホルダ４とからなる本発明によるデンタルフロス器具１が示されている。この器具は、図示されるように、ホルダ４が正しい方向を向いてヘッドピース３と整合している場合にのみ、ホルダ４がヘッドピース３と相互に係合し得ることを確実にするインタロックを有する。このインタロックは、インタロック溝１０により提供されるヘッドインタロック部と、対応するインタロックトング１１により提供されるホルダインタロック部とからなる。この実施例では、ホルダ４がヘッドピース３と正しく整合しているときに滑らせて互いに係合させ得る２つのインタロック溝１０と、対応するインタロックトング１１とが設けられている。ホルダ４が回されてヘッドピース３と正しく整合していない場合には、ホルダ４のインタロックトング１１がホルダ４のヘッドピース３との係合を妨げる。従って、ユーザがデンタルフロスホルダ４をヘッドピース３と正しく整合させないまま係合させる虞がない。
【００２４】
より詳細に言えば、ホルダ４は、本実施例では長手方向の断面が円弧形状であるベース部分２０、及びそれらの間にある長さのフロス５を適応させるべくベース部分２０から延長する一対の離隔された顎２１を有する。ベース部分２０は拡大された中央部２３を有し、インタロックトング１１がベース部分２０を横方向に延長している。本実施例では、ベース部分２０の両側から延長する２つのインタロックトング１１が設けられている。顎２１はそれぞれ内向きに延長するスナップ嵌め突起部２５を有する。
【００２５】
前記ホルダの正しく整合している配置は、図示するように、ホルダの顎がその間にヘッドピースを抱くように延長する状態である。前記ホルダがヘッドピースに正しく整合していない状態は、前記顎がヘッドピースを抱くような形ではなく、むしろそれから離れる方向に延長するように、ホルダをユーザが配置したような場合である。
【００２６】
ハンドル２は、ユーザが手で持ちかつ使用しやすいような形に形成されている。ヘッドピース３は、ホルダ４のベース部分のそれを補完する円弧形状をなす横断方向に延長する係合溝４０を有する。基本的には、ホルダ４のベース部分２０は、組み立て時にハンドル２のヘッドピース３の係合溝４０に解除可能に係合する係合トングを形成する。
【００２７】
また、ヘッドピース３は、その上をホルダ４のスナップ嵌め突起部２５が通過し、かつその裏側にスナップ嵌め突起部２５が係合する端部または底部４１を有する。このようにして、ホルダ４はヘッドピース３にしっかりと係合する。
【００２８】
使用時には、ホルダ４をヘッドピース３に、ホルダ４の顎２１とフロスの長さ５の間に画定される隙間を介してヘッドピースを最初に挿入することによって嵌め込む。次に、ベース部分または係合トング２０を係合溝４０に正しく整合させ、かつインタロックトング１１及び溝１０を同様に整合させる。次にホルダ４を軽い圧力を用いて押して、突起部２５をヘッドピース３の底部の背後にスナップ嵌め係合させる。ホルダ４をヘッドピース３から解除する場合には、指で押して、スナップ嵌め突起部２５をヘッドピース３の底部４１の背後からまず係合解除させることにより、作業を逆に行う。ここで、使用済みのホルダ４は廃棄しかつ新しいホルダ４と交換することができる。
【００２９】
図８には、顎２１の間にある長さのフロステープ５１が延長する別のホルダ５０が示されている。
【００３０】
図９乃至図１３には、図１乃至図７のそれに類似する本発明の別の実施例が示され、類似の部分には同じ参照符号が付されている。この実施例では、ただ一つのインタロックトング１１とインタロック溝１０とが設けられている。また、前記ハンドルに２つの溝１０と前記ホルダに１つのトング１１とを設けることができる。
【００３１】
図１４乃至図２２には、図１乃至図７のそれに類似する本発明の更に別の実施例が示され、類似の部分には同じ参照符号が付されている。本実施例では、ホルダ４の係合溝４０に概ね半球形の形状をなす２つのインタロック受入用凹み６０が設けられている。対応する概ね半球形の突起６１が、ヘッドピース３のベース部分２０上に配置されている。ヘッドピース３は、ただ一つの対応する突起６１を設けることができる。
【００３２】
概ね半球形の受入用凹み６０は、係合溝４０の縁部６３に横方向に延長している。受入用凹み６０から係合溝４０の縁部６３に延長する横向きの溝６２は、特に図１７乃至図１９及び図２１、図２２に示すように、受入用凹み２０の半径より小さい半径を有する。
【００３３】
ヘッドピース３にホルダ４を組み立てる際に、係合溝４０の外側の縁部６３が僅かに変形して、半球形突起６１を有するホルダ４のベース部分２０を滑らせて、対応して横方向に延長する受入用凹み６０の溝６２と係合させることができる。ヘッドピース３上の半球形突起６１は、受入用凹み６０に対応する半径を有する。ホルダ４は、半球形突起６１が対応する受入用凹み６０としっかりスナップ嵌め係合したとき、ヘッドピース３としっかり係合する。このような係合構造によって、ホルダ４を確実にヘッドピース３と正しく整合させることができる。
【００３４】
本発明は上述した実施例に限定されるものでなく、その詳細な部分において様々に変形させることができる。
【図面の簡単な説明】
【００３５】
【図１】本発明のデンタルフロス器具の組み立てた状態を示す斜視図。
【図２】前記器具の別の斜視図。
【図３】（ａ）図及び（ｂ）図は、前記器具のデンタルフロスホルダ部とハンドルヘッドピース部との組み立てを示す斜視図。
【図４】本発明によるデンタルフロスホルダの斜視図。
【図５】図４のホルダの上面図。
【図６】図４のホルダの端面図。
【図７】ヘッドピースに取り付けられたホルダの断面図。
【図８】本発明の別のホルダを示す斜視図。
【図９】（ａ）図及び（ｂ）図は、本発明の別のデンタルフロス器具のデンタルフロスホルダ部とハンドルヘッドピース部との組み立てを示す斜視図。
【図１０】図９の器具のホルダ部を示す斜視図。
【図１１】図１０のホルダの上面図。
【図１２】図１０のホルダの端面図。
【図１３】ヘッドピースに取り付けられた図１０のホルダの端面図。
【図１４】本発明の別のデンタルフロス器具のデンタルフロスホルダ部及びハンドルヘッドピース部を示す斜視図。
【図１５】図１４の器具のホルダ部の上面図。
【図１６】図１４の器具のホルダ部の端面図。
【図１７】図１４のデンタルフロス器具のヘッドピースに取り付けられたホルダ部を示す端面図。
【図１８】図１７の断面線に沿って示す図１７の器具の断面図。
【図１９】図１４の器具のハンドルヘッドピース部を横から示す斜視図。
【図２０】図１４の器具のホルダ部を横から示す斜視図。
【図２１】図１４の器具のハンドルヘッドピース部を示す端面図。
【図２２】図２１の断面線に沿って示す図２１のハンドルヘッドピースの断面図。
【図１】
0004599549.tif 000002
【図２】
0004599549.tif 000003
【図３（ａ）】
0004599549.tif 000004
【図３（ｂ）】
0004599549.tif 000005
【図４】
0004599549.tif 000006
【図５】
0004599549.tif 000007
【図６】
0004599549.tif 000008
【図７】
0004599549.tif 000009
【図８】
0004599549.tif 000010
【図９（ａ）】
0004599549.tif 000011
【図９（ｂ）】
0004599549.tif 000012
【図１０】
0004599549.tif 000013
【図１１】
0004599549.tif 000014
【図１２】
0004599549.tif 000015
【図１３】
0004599549.tif 000016
【図１４】
0004599549.tif 000017
【図１５】
0004599549.tif 000018
【図１６】
0004599549.tif 000019
【図１７】
0004599549.tif 000020
【図１８】
0004599549.tif 000021
【図１９】
0004599549.tif 000022
【図２０】
0004599549.tif 000023
【図２１】
0004599549.tif 000024
【図２２】
0004599549.tif 000025